(57)【要約】【課題】  心電図データに基づいて作成したＲＲＩのポアンカレプロットを利用して、体調管理対象者の熱中症発症リスクを判定することにより、熱中症の発生を低減する。【解決手段】  体調管理対象者の心電図データを取得し（Ｓ１）、取得した心電図データに基づいてＲＲＩのポアンカレプロットを作成し（Ｓ２）、ＲＲＩのポアンカレプロットの解析から得られた生理指標を説明変数とし、熱中症の初期症状（前兆の出現）を目的変数として回帰分析を行い（Ｓ３）、回帰分析の結果に基づいて体調管理対象者の熱中症発症リスクを判定し（Ｓ４）、熱中症発症リスクの判定値が所定の閾値以上となったか否かを判断し（Ｓ５）、熱中症の発症リスクの判定値が所定の閾値以上となった場合にその旨の警告を行う（Ｓ６）。【選択図】図１
2020021191.tif 000002
【特許請求の範囲】
【請求項１】
体調管理対象者の心電図データを取得し、
取得した心電図データに基づいてＲＲＩのポアンカレプロットを作成し、
ＲＲＩのポアンカレプロットの解析から得られた生理指標を説明変数とし、熱中症の初期症状を目的変数とする回帰分析により、体調管理対象者の熱中症発症リスクを判定し、
熱中症発症リスクの判定値が所定の閾値以上となった場合に、その旨の警告を行う、
ことを特徴とする暑熱環境下における体調管理方法。
【請求項２】
体調管理対象者の心電図データを取得するための心電図データ取得手段と、
取得した心電図データに基づいてＲＲＩのポアンカレプロットを作成するＲＲＩポアンカレプロット作成手段と、
ＲＲＩのポアンカレプロットの解析から得られた生理指標を説明変数とし、熱中症の初期症状を目的変数とする回帰分析により、体調管理対象者の熱中症発症リスクを判定する判定手段と、
熱中症発症リスクの判定値が所定の閾値以上となった場合に、その旨の警告を行う警告手段と、
を備えたことを特徴とする暑熱環境下における体調管理システム。
【発明の詳細な説明】
【技術分野】
【０００１】
本発明は暑熱環境下における体調管理方法及び体調管理システムに関するものである。
【背景技術】
【０００２】
近年、高温化傾向が顕著であり、熱中症の危険が増大している。そこで、熱中症対策のための技術が種々開示されている（例えば、特許文献１、特許文献２参照）。特許文献１に記載された技術は、暑熱環境における体温の上昇を防止することに加え、作業者の体調を総合的に管理することを目的とした体温モニタリング機能を有する空調服に関するものである。
【０００３】
この体温モニタリング機能を有する空調服は、作業者が装着する着衣部と、着衣部と作業者の身体との間に送風を行う送風装置と、着衣部を装着した作業者の体温を測定する体温測定装置と、体温測定装置による体温の測定結果に基づいて、送風装置の駆動を制御する送風制御装置とを備えている。送風制御装置は、体温の測定結果が所定温度を下回った場合に、送風装置による送風を停止させ、あるいは送風量を低下させるとともに、体温の測定結果が所定温度を上回った場合に、送風装置による送風量を増加させる。さらに、作業者の心拍数を測定する心拍数測定装置を備えている。
【０００４】
特許文献２に記載された技術は、作業者の深部体温に異常が生じる前段階で、その作業者の熱中症発症リスクを検出するための技術である。この技術は、作業者の作業負荷情報を入力する作業負荷情報入力手段と、作業者の呼吸をリアルタイムで検出する呼吸センサと、作業者の拍動間隔をリアルタイムで検出する心電計と、呼吸センサを用いて得られる呼吸曲線情報と、心電計を用いて得られる心拍情報を、同期を取りながら記録する情報記録手段と、情報記録手段に記録された呼吸曲線情報と心拍情報から、呼吸性洞性不整脈（ＲＳＡ）を導出するＲＳＡ演算手段と、ＲＳＡ演算手段により算出されたＲＳＡ算出値と、作業負荷情報を表示する表示手段を有している。
【先行技術文献】
【特許文献】
【０００５】
【特許文献１】特開２０１７−１６６０７５号公報
【特許文献２】特開２０１７−２７１２３号公報
【発明の概要】
【発明が解決しようとする課題】
【０００６】
しかし、特許文献１に記載された技術は、作業者の心拍数を測定して体温モニタリングを行っており、体温とともに心拍数に着目して、作業者の体調を総合的に管理することができるという効果を奏するが、心拍情報と熱中症の初期症状（前兆の出現）との関連性については、さらなる研究の余地があった。
【０００７】
また、特許文献２に記載された技術は、副交感神経活動により示されるストレスの評価指標として知られるＲＳＡのリアルタイム変動と、作業負荷情報の相関関係を分析することにより、恒常性の維持機能に変調を来した段階で、即座にその変調を検出することにより、重篤な熱中症の発症を回避することができるとしている。しかし、熱中症の初期症状（前兆の出現）を判定して警告を行うためには、さらなる研究の余地があった。
【０００８】
本願の発明者は、実験を積み重ねることにより、心電図データに基づいて作成したＲＲＩのポアンカレプロットの解析から得られた生理指標を説明変数とし、熱中症の初期症状（前兆の出現）を目的変数とする回帰分析により、体調管理対象者の熱中症発症リスクを判定することが可能であることに想到した。
【０００９】
本発明は、上述した事情に鑑み提案されたもので、心電図データに基づいて作成したＲＲＩのポアンカレプロットを利用して、体調管理対象者の熱中症発症リスクを判定することにより、熱中症の発生を低減するための暑熱環境下における体調管理方法及び体調管理システムを提供することを目的とする。
【課題を解決するための手段】
【００１０】
本発明に係る暑熱環境下における体調管理方法及び体調管理システムは、上述した目的を達成するため、以下の特徴点を有している。すなわち、本発明に係る暑熱環境下における体調管理方法は、体調管理対象者の心電図データを取得し、取得した心電図データに基づいてＲＲＩのポアンカレプロットを作成し、ＲＲＩのポアンカレプロットの解析から得られた生理指標を説明変数とし、熱中症の初期症状（前兆の出現）を目的変数とする回帰分析により、体調管理対象者の熱中症発症リスクを判定し、熱中症の初期症状（前兆の出現）の判定値が所定の閾値以上となった場合に、その旨の警告を行うことを特徴とするものである。
【００１１】
本発明に係る暑熱環境下における体調管理システムは、体調管理対象者の心電図データを取得するための手段（心電図データ取得手段）と、取得した心電図データに基づいてＲＲＩのポアンカレプロットを作成する手段（ＲＲＩポアンカレプロット作成手段）と、ＲＲＩのポアンカレプロットの解析から得られた生理指標を説明変数とし、熱中症の初期症状（前兆の出現）を目的変数とする回帰分析により、体調管理対象者の熱中症発症リスクを判定する手段（判定手段）と、熱中症の初期症状（前兆の出現）の判定値が所定の閾値以上となった場合に、その旨の警告を行う手段（警告手段）とを備えたことを特徴とするものである。
【００１２】
なお、本発明における熱中症の初期症状（前兆の出現）とは、体温上昇の危険度や熱中症に伴う頭痛、めまい、痙攣、気分不良などの症状出現の危険度を意味する。
【発明の効果】
【００１３】
本発明に係る暑熱環境下における体調管理方法及び体調管理システムによれば、心電図データに基づいて作成したＲＲＩのポアンカレプロットの解析から得られた生理指標を説明変数とし、熱中症の初期症状（前兆の出現）を目的変数とする回帰分析により、体調管理対象者の熱中症発症リスクを判定することが可能であるとの知見に基づいて、体調管理対象者の熱中症発症リスクを判定することにより、熱中症の発生を低減することが可能となる。
【図面の簡単な説明】
【００１４】
【図１】本発明の実施形態に係る暑熱環境下における体調管理方法のフローチャート。
【図２】本発明の実施形態に係る暑熱環境下における体調管理システムの機能ブロック図。
【図３】心電図データに基づいて経時的に作成したＲＲＩのポアンカレプロットの一例を示す説明図。
【発明を実施するための形態】
【００１５】
以下、図面を参照して、本発明の実施形態に係る暑熱環境下における体調管理方法及び体調管理システムを説明する。図１〜３は本発明の実施形態に係る暑熱環境下における体調管理方法及び体調管理システムを説明するもので、図１は体調管理方法のフローチャート、図２は体調管理システムの機能ブロック図、図３はＲＲＩのポアンカレプロットの一例を示す説明図である。
【００１６】
＜暑熱環境下における体調管理方法及び体調管理システムの概要＞
本発明の実施形態に係る暑熱環境下における体調管理方法及び体調管理システムは、体調管理対象者の心電図データを経時的に取得してＲＲＩのポアンカレプロットを作成し、ＲＲＩのポアンカレプロットの解析から得られた生理指標を説明変数とし、熱中症の初期症状（前兆の出現）を目的変数とする回帰分析により、体調管理対象者の熱中症発症リスクを判定する点に特徴がある。
【００１７】
＜生理指標＞
本発明の実施形態では、ＲＲＩのポアンカレプロットの解析から得られた生理指標を説明変数とし、熱中症の初期症状（前兆の出現）を目的変数とする回帰分析により、体調管理対象者の熱中症発症リスクを判定するが、説明変数として、さらに他の生理指標を用いてもよい。他の生理指標としては、例えば、性別、年齢、皮膚温、血圧、呼気ガス、脈波、血中酸素濃度、血流量、運動量、呼吸数を挙げることができる。さらに、衣服内温度、ＷＢＧＴ（Ｗｅｔ  Ｂｕｌｂ  Ｇｌｏｂｅ  Ｔｅｍｐｅｒａｔｕｒｅ）、気象データ等を説明変数に加えてもよい。これらの説明変数を加味して、体調管理対象者の熱中症発症リスクを判定することにより、より一層正確な判定を行うことができる。
【００１８】
＜暑熱環境下における体調管理方法＞
本発明の実施形態に係る暑熱環境下における体調管理方法は、図１に示すように、体調管理対象者の心電図データを取得するステップ（Ｓ１）、取得した心電図データに基づいてＲＲＩのポアンカレプロットを作成するステップ（Ｓ２）、ＲＲＩのポアンカレプロットの解析から得られた生理指標を説明変数とし、熱中症の初期症状（前兆の出現）を目的変数として回帰分析を行うステップ（Ｓ３）、回帰分析の結果に基づいて体調管理対象者の熱中症発症リスクを判定するステップ（Ｓ４）、熱中症発症リスクの判定値が所定の閾値以上となったか否かを判断するステップ（Ｓ５）、熱中症の発症リスクの判定値が所定の閾値以上となった場合にその旨の警告を行うステップ（Ｓ６）を含んでいる。
【００１９】
また、熱中症発症リスクを判定する判定値の閾値を複数段階で設定し（例えば、第１閾値＜第２閾値＜第３閾値）、熱中症発症リスクの判定値が上昇するに伴って、順次、警告を行ってもよい。この場合、体調管理対象者が携行している携帯情報端末の表示画面や、管理センターに設置された管理コンピュータに付帯した表示装置の表示画面に、熱中症発症リスクの判定値を表示するとともに、表示色を青色または緑色（正常）、黄色（第１閾値）、赤色（第２閾値）、赤色点滅（第３閾値）の順で変化させ、さらに、判定値に応じた警告音をスピーカーから発生してもよい。
【００２０】
＜暑熱環境下における体調管理システム＞
本発明の実施形態に係る暑熱環境下における体調管理システム１０は、図２に示すように、心電図データ取得手段１１と、ＲＲＩポアンカレプロット作成手段１２と、判定手段１３と、警告手段１４とを備えている。
【００２１】
これらの手段のうち、ＲＲＩポアンカレプロット作成手段１２、判定手段１３、警告手段１４は、携帯情報端末（スマートフォン）や管理コンピュータの機能手段として実現する。すなわち、ＲＲＩポアンカレプロット作成手段１２、判定手段１３、警告手段１４は、携帯情報端末が備えるコンピュータ機能や、管理センター等に設置した管理コンピュータを利用して、ソフトウェアがコンピュータに読み込まれてハードウェアと協働することにより、各手段としての機能を実現する。
【００２２】
＜心電図データ取得手段＞
心電図データ取得手段１１は、体調管理対象者の心電図データを取得するための手段である。この心電図データ取得手段１１は、例えば、体調管理対象者が装着するウェア（Ｔシャツ、タンクトップ等）に設けた電極と、電極で検知した心電図データを送信するためのトランスミッターとからなる。電極は導電性を有する銀メッキ繊維等からなり、心電図データを取得するために、心臓を挟んだ少なくとも２箇所に配設されている。また、電極を設けたウェア（Ｔシャツ、タンクトップ等）は伸縮性を有しており、電極が体調管理対象者の体表に密着するようになっている。
【００２３】
＜ＲＲＩポアンカレプロット作成手段＞
ＲＲＩポアンカレプロット作成手段１２は、取得した心電図データに基づいてＲＲＩのポアンカレプロットを作成するための手段であり、携帯情報端末のコンピュータ機能や管理コンピュータの機能により実現することができる。
【００２４】
＜ポアンカレプロットの一例＞
図３は、経時的に作成したポアンカレプロットの一例である。図３に示すポアンカレプロットは、被験者に対して心電図データを取得するための装置を内蔵したウェアを装着させ、休憩と自転車による運動を繰り返して行わせながら、所定間隔（６分間隔）で作成したポアンカレプロットである。
【００２５】
図３では、横軸をｎ拍目のＲＲＩ（ｍｓ）、縦軸をｎ＋１拍目のＲＲＩ（ｍｓ）とし、ｎ拍目とｎ＋１拍目との関係をプロットしている。図３は、休憩６分（ａ）、運動１８分（ｂ〜ｄ）、休憩１８分（ｅ〜ｇ）、運動２４分（ｈ〜ｋ）、休憩１８分（ｌ〜ｎ）の、合計８４分の経時変化を示したポアンカレプロットである。
【００２６】
図３に示すポアンカレプロットにより、被験者の状態（休憩・運動）に応じてポアンカレプロットが経時的に変化してゆくことが解る。したがって、ＲＲＩのポアンカレプロットの解析から得られた生理指標を説明変数とし、熱中症の初期症状（前兆の出現）を目的変数とする回帰分析を行い、体調管理対象者の熱中症発症リスクを判定することにより、体調管理対象者の熱中症発症リスクを管理することができる。
【００２７】
＜判定手段＞
判定手段１３は、ＲＲＩのポアンカレプロットの解析から得られた生理指標を説明変数とし、熱中症の初期症状（前兆の出現）を目的変数とする回帰分析により、体調管理対象者の熱中症発症リスクを判定するための手段であり、携帯情報端末のコンピュータ機能や管理コンピュータの機能により実現することができる。
【００２８】
＜警告手段＞
警告手段１４は、熱中症発症リスクが所定の閾値以上となった場合に、その旨の警告を行うための手段であり、携帯情報端末のコンピュータ機能、表示機能及び音声発生機能や、管理コンピュータ及びこれに付帯した機器の機能により実現することができる。すなわち、警告手段１４が判定手段１３から熱中症の初期症状（前兆の出現）の判定値を受信し、熱中症の初期症状（前兆の出現）の判定値が閾値を超えている場合に、表示画面にその旨の表示を行ったり、スピーカーから警報音や警報音声を発生したりする。
【００２９】
＜管理コンピュータ＞
上述したように、体調管理対象者の心電図データは、体調管理対象者が装着した心電図データ取得手段１１により行うが、全般的な体調管理は、管理センター等に設置した管理コンピュータにより行ってもよい。すなわち、心電図データ取得手段１１のトランスミッターから発信される信号を管理コンピュータで受信して、ＲＲＩのポアンカレプロットの作成、熱中症の初期症状（前兆の出現）の判定及び警告を管理コンピュータ及びその付帯装置により実施することにより、体調管理対象者がスマートフォンを携行する必要がなくなり、体調管理対象者の負担を軽減することができる。
【符号の説明】
【００３０】
１０  体調管理システム
１１  心電図データ取得手段
１２  ＲＲＩポアンカレプロット作成手段
１３  判定手段
１４  警告手段
【図１】
2020021191.tif 000003
【図２】
2020021191.tif 000004
【図３】
2020021191.tif 000005